【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
案内装置であって、
出発地から目的地までの経路であって、時刻表にしたがって輸送手段が運行される路線を含む経路の位置を表す経路情報を準備する経路準備部と、
前記時刻表の情報である時刻表情報を準備する時刻表準備部と、
全地球測位システムを利用して、現在位置を表す現在位置情報を取得するための現在位置取得部と、
ユーザに携帯され、情報を出力することができる出力部と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を前記出力部に出力させる時刻管理部と、を備える、案内装置。
【請求項２】
請求項１記載の案内装置であって、さらに、
少なくとも前記現在位置の周辺の地図を表す地図情報を準備する地図情報準備部を備え、
前記出力部は、画像を表示することができる表示部を備え、
前記時刻管理部は、前記地図情報と、前記経路情報と、前記現在位置情報とに基づいて、前記現在位置が含まれる地図と、前記現在位置が含まれる前記経路の少なくとも一部の位置と、前記現在位置と、を重ねて前記表示部に表示する、案内装置。
【請求項３】
請求項１または２に記載の案内装置であって、
前記時刻管理部は、前記第１の出発時刻を前記出力部に出力させた後、
新たに取得された現在位置情報と前記経路情報とに基づいて、新たに前記第１の利用駅への第１の予想到着時刻を計算し、
前記新たに計算された第１の予想到着時刻と前記時刻表情報とに基づいて、前記ユーザが次に乗るべき輸送手段が前記第１の利用駅を出発する第１の出発時刻を新たに計算し、
前記新たな第１の出発時刻を前記出力部に出力させる、案内装置。
【請求項４】
請求項１ないし３のいずれかに記載の案内装置であって、
前記出力部によって前記第１の出発時刻が前記出力された後、前記現在位置と前記路線との少なくとも一方に関する所定の条件が満たされた場合に、
前記経路準備部は、新たに取得された現在位置情報に基づく現在位置から目的地まで移動するための経路であって、前記路線を含む経路の位置を表す経路情報を新たに準備し、
前記時刻管理部は、
前記新たな経路情報の経路に含まれる路線においてユーザが次に乗るべき輸送手段が出発する新たな第１の利用駅に前記ユーザが到着する新たな第１の予想到着時刻を、前記新たな現在位置情報と前記新たな経路情報とに基づいて計算し、
前記新たな第１の予想到着時刻と前記新たな経路情報と前記時刻表情報とに基づいて、前記ユーザが次に乗るべき輸送手段が前記新たな第１の利用駅を出発する新たな第１の出発時刻を特定し、
前記新たな第１の利用駅および前記新たな第１の出発時刻を前記出力部に出力させる、案内装置。
【請求項５】
請求項４記載の案内装置であって、さらに、
前記経路に含まれる前記路線の少なくとも一部が利用不能である旨の事故情報を、外部から受けとることができる事故情報取得部を備え、
前記所定の条件は、前記事故情報取得部を介して前記事故情報を受信したことを含み、
前記経路準備部は、前記新たな経路情報を準備する際に、前記新たに取得された現在位置情報と前記事故情報とに基づく、前記路線のうち前記利用不能である区間を含まない前記経路の位置を表す前記新たな経路情報を準備する、案内装置。
【請求項６】
請求項１ないし５のいずれかに記載の案内装置であって、
前記出力部は、画像を表示することができる表示部を備え、
前記時刻管理部は、
前記第１の出発時刻よりも後に前記第１の利用駅を出発する輸送手段であって、前記ユーザが次に乗るべき前記輸送手段の代替となりうる輸送手段の前記第１の利用駅からの出発時刻である第１の代替出発時刻を、前記第１の出発時刻と前記経路情報と前記時刻表情報とに基づいて計算し、
前記第１の代替出発時刻を前記第１の出発時刻とともに前記表示部に表示させ、
前記第１の出発時刻を前記第１の代替出発時刻よりも強調して表示させる、案内装置。
【請求項７】
請求項１ないし６のいずれかに記載の案内装置であって、
前記時刻管理部は、
前記第１の利用駅から前記ユーザが乗るべき前記輸送手段が、前記経路において乗り換えのためにユーザが降りるべき第２の利用駅に到着する第２の予想到着時刻を、前記現在位置情報と、前記経路情報とに基づいて計算し、
前記第２の予想到着時刻と前記経路情報と前記時刻表情報とに基づいて、前記ユーザが乗り換えるべき輸送手段が前記第２の利用駅を出発する第２の出発時刻を特定し、
前記第２の利用駅および前記第２の出発時刻を前記出力部に出力させる、案内装置。
【請求項８】
請求項７記載の案内装置であって、
前記出力部は、画像を表示することができる表示部を備え、
前記時刻管理部は、
前記第１の利用駅と前記第２の利用駅の間にある駅であって、前記ユーザが次に乗るべき前記輸送手段が止まらない駅を表示せず、
前記第１の出発時刻とともに前記第１の利用駅を前記表示部に表示し、
前記第２の出発時刻とともに前記第２の利用駅を前記表示部に表示する、案内装置。
【請求項９】
請求項１ないし８のいずれかに記載の案内装置であって、
前記出力部は、画像を表示することができる表示部を備え、
前記経路準備部は、前記経路に含まれる前記路線において前記ユーザが次に乗るべき輸送手段が停まる停止駅と、前記停止駅が、改札内に所定の設備を有しているか否かを表す駅設備情報を含む前記経路情報を準備し、
前記時刻管理部は、前記駅設備情報に基づいて、前記停止駅を表す表示とともに、前記停止駅が改札内に前記所定の設備を有している場合には、所定の表示を前記表示部に表示させる、案内装置。
【請求項１０】
出発地から目的地まで移動するための案内方法であって、
（a）出発地から目的地までの経路であって、時刻表にしたがって輸送手段が運行される路線を含む経路の位置を表す経路情報を準備する工程と、
（b）前記時刻表の情報である時刻表情報を準備する工程と、
（c）全地球測位システムを利用して、現在位置を表す現在位置情報を取得する工程と、
（d）前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる工程と、を備える、方法。
【請求項１１】
出発地から目的地まで移動するためのコンピュータプログラムであって、
ユーザに携帯され情報を出力することができる出力部と、全地球測位システムを利用して現在位置を表す現在位置情報を取得するための現在位置取得部と、前記出力部および前記現在位置取得部を制御する制御部と、を備える案内装置において実行されることによって、
出発地から目的地までの経路であって、時刻表にしたがって輸送手段が運行される路線を含む経路の位置を表す経路情報を準備する機能と、
前記時刻表の情報である時刻表情報を準備する機能と、
前記経路に含まれる前記路線においてユーザが次に乗るべき輸送手段が出発する第１の利用駅に前記ユーザが到着する第１の予想到着時刻を、前記現在位置情報と、前記経路情報とに基づいて計算し、前記第１の予想到着時刻と前記経路情報と前記時刻表情報とに基づいて、前記ユーザが次に乗るべき輸送手段が前記第１の利用駅を出発する第１の出発時刻を特定し、前記第１の利用駅および前記第１の出発時刻を、前記ユーザに知らせる機能と、を案内装置に実現させることができる、コンピュータプログラム。
【手続補正２】
【補正対象書類名】明細書
【補正対象項目名】００６３
【補正方法】変更
【補正の内容】
【００６３】
Ａ２．経路案内：
図２は、経路案内を行う際の携帯電話２００、経路探索サーバ１００、時刻表サーバ１７０、運行管理サーバ１８０の情報のやりとりを示すチャートである。携帯電話２００は、まず、ステップＳ１０５で、コマンド入力部２０６を介してユーザから出発地、経由地、目的地、検索条件などの入力を受けとる。そして、ユーザからルート検索の指示を受け取る。
【手続補正３】
【補正対象書類名】明細書
【補正対象項目名】０１７５
【補正方法】変更
【補正の内容】
【０１７５】
１００…経路探索サーバ
１０２…通信部
１０４…制御部
１０６…記憶部
１５０…地図サーバ
１５２…通信部
１５４…制御部
１５６…地図データベース
１７０…サーバ
１７０…時刻表サーバ
１７２…通信部
１７４…制御部
１７６…時刻表データベース
１８０…運行管理サーバ
１８２…通信部
１８４…制御部
１８６…記憶部
２００…携帯電話
２０１…ＧＰＳユニット
２０２…表示パネル
２０３…音声出力部
２０４…振動機構
２０５…通信部
２０６…コマンド入力部
２０６ａ…テンキー
２０６ｂ…カーソルキー
２０９…時計部
２１０…主制御部
２１２…アプリケーションソフトウェア
２２０…通話制御部
ＡＰ…不通位置を示すアイコン
ＩＮＴ…インターネット
Ｉｃ１…トイレがあることを示すアイコン
Ｉｃ２…飲食店があることを示すアイコン
Ｌｒ２…Ｂ駅までの距離
Ｌｒ３…Ｃ駅までの距離
Ｌｒ４…Ｄ駅までの距離
Ｌｒ５…Ｅ駅までの距離
Ｌｒ６…目的地までの距離
ＰＤ…目的地を示すアイコン
ＰＰ…現在位置を示すアイコン
Ｓ０１〜Ｓ０７…区間
ＳＤ１，ＳＤ３，ＳＤ４…画像表示
ＳＰ…出発地を示すアイコン
Ｓｔｂ…出発駅
Ｓｔｄ…目的駅
Ｓｔｎ…経路において乗るべき列車が停車しない駅
Ｓｔｔ１，Ｓｔｔ２，Ｓｔｔ３…乗換駅
Ｓｔｓ１，Ｓｔｓ２…停車駅
Ｔａ４，Ｔａ５…到着予定時刻
Ｔｄ１１，Ｔｄ４１…乗るべき列車の出発時刻
Ｔｄ１２，Ｔｄ４２…代替列車の出発時刻
Ｌｒ２…Ｂ駅までの所要時間
Ｌｒ３…Ｃ駅までの所要時間
Ｌｒ４…Ｄ駅までの所要時間
Ｌｒ５…Ｅ駅までの所要時間
Ｌｒ６…目的地までの所要時間
Ｔｓ…駅への到着を予告する時間
【手続補正４】
【補正対象書類名】図面
【補正対象項目名】図８
【補正方法】変更
【補正の内容】
【図８】
2009107583.tif 000001